(57)【特許請求の範囲】
【請求項１】
クロージャに接続された光ケーブルを支持する光ケーブル支持装置であって、
前記クロージャを支持する線状体に着脱自在に取り付けられる取付部と、
前記取付部と連結され、前記光ケーブルを着脱自在に把持する把持部と、
前記把持部の内面側に配設され、流体が注入されることで膨張して、前記光ケーブルの外周面を押圧する膨張部と、
を備えることを特徴とする光ケーブル支持装置。
【請求項２】
前記取付部と把持部との距離が調整自在となっている、ことを特徴とする請求項１に記載の光ケーブル支持装置。
【請求項３】
前記膨張部に、前記光ケーブルとの密着性を高める密着部が設けられている、ことを特徴とする請求項１または２のいずれか１項に記載の光ケーブル支持装置。
【発明の詳細な説明】
【技術分野】
【０００１】
この発明は、クロージャに接続された光ケーブルを支持する光ケーブル支持装置に関する。
【背景技術】
【０００２】
例えば、電柱の建て替えなどを行う場合、光ケーブルの移設が必要な場合があり、このような場合、従来、クロージャもそのまま一緒に、光ケーブルを新たな電柱に移設していた。ところで、クロージャ内には、光ケーブルを把持、固定するための固定具が設けられているが（例えば、特許文献１参照。）、経年変化や劣化、あるいはヒューマンエラーなどの何らかの要因によって、固定具に固定不良・締め付け不良が生じている場合がある。そして、このような不良が発生していると、光ケーブルやクロージャの移設の際に、光ケーブルがクロージャから抜けて心線に損傷を与え、回線断に至るおそれがあった。
【先行技術文献】
【特許文献】
【０００３】
【特許文献１】特開平０９−３１１２２９号公報
【発明の概要】
【発明が解決しようとする課題】
【０００４】
上記のような光ケーブルの抜けを防止するには、移設などに先だって、クロージャを開けて固定具によるに固定・締め付けを確認することが有効ではあるが、クロージャを開けるには多大な時間と労力とを要し、現実的ではない。また、固定具が緩まない構造、つまり光ケーブルが抜けにくい構造にすることも有効ではあるが、ヒューマンエラーによる固定不良・締め付け不良が存在する場合には、光ケーブルの抜けを防止することができない。しかも、固定具による固定を強固にするために、固定具に突起物などを設けると、光ケーブルに損傷を与えるおそれがある。
【０００５】
そこでこの発明は、光ケーブルがクロージャから抜けるのを防止可能な光ケーブル支持装置を提供することを目的とする。
【課題を解決するための手段】
【０００６】
上記課題を解決するために、請求項１の発明は、クロージャに接続された光ケーブルを支持する光ケーブル支持装置であって、前記クロージャを支持する線状体に着脱自在に取り付けられる取付部と、前記取付部と連結され、前記光ケーブルを着脱自在に把持する把持部と、前記把持部の内面側に配設され、流体が注入されることで膨張して、前記光ケーブルの外周面を押圧する膨張部と、を備えることを特徴とする。
【０００７】
この発明によれば、取付部を線状体に取り付け、把持部で光ケーブルを把持した状態で、流体を注入して膨張部を膨張させることで、膨張部が光ケーブルの外周面を押圧する。これにより、光ケーブル支持装置を介して線状体と光ケーブルとが連結された状態、つまり、光ケーブルが線状体で支持された状態となる。
【０００８】
請求項２の発明は、請求項１に記載の光ケーブル支持装置において、前記取付部と把持部との距離が調整自在となっている、ことを特徴とする。
【０００９】
請求項３の発明は、請求項１または２に記載の光ケーブル支持装置において、前記膨張部に、前記光ケーブルとの密着性を高める密着部が設けられている、ことを特徴とする。
【発明の効果】
【００１０】
請求項１の発明によれば、光ケーブル支持装置を介して線状体と光ケーブルとが連結され、光ケーブルが線状体で支持された状態となる。つまり、クロージャと光ケーブルとが、ともに線状体で支持された状態となるため、光ケーブルがクロージャから抜けるのを防止することができる。しかも、膨張部が光ケーブルの外周面を押圧するため、把持部による光ケーブルの把持が強固となり、光ケーブルの抜けをより防止することが可能となる。さらに、膨張部が膨張して光ケーブルの外周面を押圧するだけであるため、光ケーブルに損傷を与えることがない。
【００１１】
請求項２の発明によれば、取付部と把持部との距離が調整自在なため、線状体と光ケーブルとの距離が異なる場合であっても、ひとつの光ケーブル支持装置で対応することができる。
【００１２】
請求項３の発明によれば、膨張部に密着部が設けられているため、膨張部と光ケーブルとの密着性が高まり、把持部による光ケーブルの把持がより強固となって、光ケーブルの抜けをより防止することが可能となる。
【図面の簡単な説明】
【００１３】
【図１】この発明の実施の形態１に係る光ケーブル支持装置を示す構成図であり、（ａ）は把持部が開いた状態、（ｂ）は把持部が閉じた状態、（ｃ）は膨張チューブに空気が注入された状態を示す。
【図２】図１の光ケーブル支持装置の配設位置を示す図である。
【図３】図１の光ケーブル支持装置の膨張チューブの表面状態を示す図であり、（ａ）は平坦面で空気注入前の状態、（ｂ）は平坦面で空気注入後の状態、（ｃ）は凹凸状の密着部を有する空気注入前の状態、（ｄ）は凹凸状の密着部を有する空気注入後の状態、（ｅ）は吸盤状の密着部を有する空気注入前の状態、（ｆ）は吸盤状の密着部を有する空気注入後の状態を示す。
【図４】図１の光ケーブル支持装置の膨張チューブの把持部への組付手順を示す図である。
【図５】この発明の実施の形態２に係る光ケーブル支持装置を示す構成図である。
【発明を実施するための形態】
【００１４】
以下、この発明を図示の実施の形態に基づいて説明する。
【００１５】
（実施の形態１）
図１は、この実施の形態に係る光ケーブル支持装置１を示す構成図であり、図２は、光ケーブル支持装置１の配設位置を示す図である。この光ケーブル支持装置１は、クロージャ１０１に接続された光ケーブル１０２を支持する装置であり、主として、取付部２と、把持部４と、膨張チューブ（膨張部）５とを備えている。ここで、クロージャ１０１は、水平方向に延びるメッセン（線状体）１０３にぶら下げられた状態で支持されている。また、クロージャ１０１内には、光ケーブル１０２を把持、固定するための把持金物（固定具）が設けられている。
【００１６】
取付部２は、メッセン１０３に着脱自在に取り付けられるものであり、取付板２１とクランプ２２とを備えている。取付板２１は、金属製の板材で、クランプ２２の両端部を挿入するための挿入孔が形成され、下端部に、後述する連結棒３の第１の連結部３１が接続されている。クランプ２２は、金属製の丸材が略Ｕ字状に形成されたもので、両端部に雄ネジが形成されている。そして、取付板２１とクランプ２２とでメッセン１０３を挟み、クランプ２２の両端部を取付板２１の挿入孔に挿入して、クランプ２２の雄ネジにナット２３を締め付けることで、取付部２がメッセン１０３に取り付けられる。また、ナット２３を外して、クランプ２２を取付板２１から分離させることで、取付部２をメッセン１０３から取り外せるものである。
【００１７】
把持部４は、光ケーブル１０２を着脱自在に把持するものであり、金属製で、半円筒状の第１の筒部４１と第２の筒部４２とを備え、これらの筒部４１、４２がヒンジ４３によって開閉自在となっている。また、第１の筒部４１と第２の筒部４２とが閉じた状態では、把持部４の内周面（膨張チューブ５）と光ケーブル１０２との間に隙間が形成されるように、把持部４の内径が設定されている。さらに、第１の筒部４１と第２の筒部４２とを閉じた状態を維持するために、ボルトやバンドなどの固定手段が設けられ、この固定手段を解除することで把持部４を開けられるようになっている。
【００１８】
このような把持部４は、連結棒３を介して取付部２に連結されている。すなわち、連結棒３は、棒状の第１の連結部３１と筒状の第２の連結部３２とを備え、第２の連結部３２の下端部に把持部４が接続されている。また、第２の連結部３２内に第１の連結部３１が挿入され、その挿入量を変えることで連結棒３が伸縮自在で、これにより、取付部２と把持部４との距離が調整自在となっている。さらに、第２の連結部３２に対する第１の連結部３１の移動を規制・固定するためのボルトやくさびなどの固定手段が設けられている。
【００１９】
膨張チューブ５は、把持部４の内周面に配設され、空気（流体）が注入されることで膨張して、光ケーブル１０２の外周面を押圧するチューブである。すなわち、ゴム製のチューブで、把持部４の全内周面に沿うように形成、配設され、把持部４が閉じた状態では、図１（ｂ）に示すように、光ケーブル１０２との間に隙間が形成され、空気が注入されることで膨張して、図１（ｃ）に示すように、光ケーブル１０２の外周面を押圧するようになっている。一方、空気を抜くと、収縮するものである。ここで、膨張チューブ５の膨張代は、直径が異なる複数の光ケーブル１０２を適正に押圧できるように設定されている。
【００２０】
また、この膨張チューブ５の光ケーブル１０２側の接触面には、光ケーブル１０２の大きさ・直径や数、表皮の材質などに応じて、光ケーブル１０２との密着性を高める密着部が設けられている。すなわち、図３（ａ）、（ｂ）に示すように、密着部がない場合には、膨張チューブ５の接触面は平坦となっている。これに対して、図３（ｃ）、（ｄ）に示すような凹凸状の密着部５ａや、図３（ｅ）、（ｆ）に示すような吸盤状の密着部５ｂを設けることで、光ケーブル１０２との密着性が高められるものである。ここで、例えば、光ケーブル１０２がＦＴＴＨ（Ｆｉｂｅｒ  Ｔｏ  Ｔｈｅ  Ｈｏｍｅ）などの細径のケーブルの場合には、平坦面の膨張チューブ５を用いるか、あるいは凹凸状の密着部５ａが設けられた膨張チューブ５を用いる。
【００２１】
このような膨張チューブ５は、次のようにして把持部４に組み付けられている。すなわち、図４に示すように、まず、膨張チューブ５（ａ）に設けられたバルブ本体５１を把持部４（ｂ）に形成されたバルブ孔４４に挿入しながら、把持部４の内面側に膨張チューブ５を配設する（ｃ）。次に、バルブ本体５１に虫ゴム５２を装着して（ｄ、ｅ）、バルブ本体５１にバルブナット５３を取り付ける（ｆ）。そして、虫ゴム５２に空気入れを装着して空気を注入することで、膨張チューブ５が膨張する（ｆ）ものである。
【００２２】
次に、このような構成の光ケーブル支持装置１の作用などについて説明する。
【００２３】
まず、光ケーブル支持装置１を配設するには、上記のようにして取付部２をメッセン１０３に取り付け、取付部２と把持部４との距離に合わせて連結棒３の長さを調整する。次に、図１（ａ）に示すように、第１の筒部４１と第２の筒部４２とを開けて、筒部４１、４２間に光ケーブル１０２を位置させた状態で、図１（ｂ）に示すように、第１の筒部４１と第２の筒部４２とを閉じる。続いて、上記のようにして、膨張チューブ５に空気を注入することで、図１（ｃ）に示すように、膨張チューブ５が膨張して、全面にわたって光ケーブル１０２に対して密着、押圧する。
【００２４】
このようにして光ケーブル支持装置１を配設した状態では、光ケーブル支持装置１を介してメッセン１０３と光ケーブル１０２とが連結された状態、つまり、光ケーブル１０２がメッセン１０３で支持された状態となる。そして、このような状態で、光ケーブル１０２やクロージャ１０１の移設作業などを行うものである。
【００２５】
以上のように、この光ケーブル支持装置１によれば、光ケーブル１０２がメッセン１０３で支持された状態、つまり、クロージャ１０１と光ケーブル１０２とが、ともにメッセン１０３で支持された状態となる。このため、光ケーブル１０２やクロージャ１０１の移設作業などを行ったとしても、クロージャ１０１と光ケーブル１０２とが一体化しているため、光ケーブル１０２がクロージャ１０１から抜けるのを効果的に防止することができる。
【００２６】
具体的には、クロージャ１０１を開ける必要がないため、時間と労力とを削減して効率的に作業を行うことができる。また、クロージャ１０１内の把持金物による固定に不具合があったとしても（ヒューマンエラーによる固定不良・締め付け不良があったとしても）、光ケーブル１０２の抜けを防止することができる。
【００２７】
しかも、膨張チューブ５が光ケーブル１０２の外周面を押圧するため、把持部４による光ケーブル１０２の把持が強固となる。さらに、膨張チューブ５に密着部５ａ、５ｂを設けることで、膨張チューブ５と光ケーブル１０２との密着性が高まり、把持部４による光ケーブル１０２の把持がより強固となる。この結果、光ケーブル１０２の抜けをより防止することが可能となる。
【００２８】
また、膨張チューブ５が膨張して光ケーブル１０２の外周面を押圧するだけであるため、光ケーブル１０２に損傷を与えることがない。しかも、膨張チューブ５が膨張して光ケーブル１０２を把持するため、直径が異なる複数の光ケーブル１０２を適正に把持することができる。さらに、取付部２と把持部４との距離が調整自在なため、メッセン１０３と光ケーブル１０２との距離が異なる場合であっても、ひとつの光ケーブル支持装置１で対応することができる。
【００２９】
（実施の形態２）
図５は、この実施の形態に係る光ケーブル支持装置１０を示す構成図である。この実施の形態では、実施の形態１の光ケーブル支持装置１を２つ連結している点で、実施の形態１と構成が異なり、同等の構成については、同一符号を付することでその説明を省略する。
【００３０】
すなわち、この光ケーブル支持装置１０は、２つの光ケーブル支持装置１を連結体１１で連結して構成されている。この連結体１１は、水平方向に延びるブロック体で、両取付板２１の上面に配設され、ボルトで両取付板２１に接続されている。一方、ボルトを外すことで、２つの光ケーブル支持装置１が分離され、実施の形態１のようにそれぞれが単体で使用できるようになっている。
【００３１】
そして、クロージャ１０１に２本の光ケーブル１０２が接続されている場合に、各光ケーブル支持装置１の把持部４で光ケーブル１０２を１本ずつ把持するものである。
【００３２】
このような実施の形態によれば、２つの光ケーブル支持装置１が連結されているため、それぞれの把持部４で光ケーブル１０２を把持しても、クロージャ１０１と２本の光ケーブル１０２と光ケーブル支持装置１０とメッセン１０３とが、固定化・一体化される。この結果、それぞれの光ケーブル１０２がクロージャ１０１から抜けるのを、より効果的に防止することができるものである。
【００３３】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、膨張チューブ５のバルブが虫ゴムタイプの場合について説明したが、空気注入時の逆流や経時的漏れを抑制したスーパーバルブであってもよい。また、把持部４で１本の光ケーブル１０２を把持する場合について説明したが、光ケーブル１０２の直径や配設位置などに応じて、把持部４で複数本の光ケーブル１０２を把持してもよい。さらに、実施の形態２では、２つの光ケーブル支持装置１を連結した場合について説明したが、光ケーブル１０２の本数に応じて、３つ以上の光ケーブル支持装置１を連結してもよい。
【符号の説明】
【００３４】
１        光ケーブル支持装置
２        取付部
３        連結棒
４        把持部
５        膨張チューブ（膨張部）
５ａ      密着部
５ｂ      密着部
１０１    クロージャ
１０２    光ケーブル
１０３    メッセン（線状体）
【図１】
0005355656.tif 000002
【図２】
0005355656.tif 000003
【図３】
0005355656.tif 000004
【図４】
0005355656.tif 000005
【図５】
0005355656.tif 000006